(57)【要約】      （修正有）【課題】劣化のスピードが遅く、サルカンと釣り針の動きが良い釣りルアーを提供する。【解決手段】釣りルアーＦの腹部の穴周りにハトメＡをはめ込んだ。【選択図】図３
0003103369.tif 000002
【実用新案登録請求の範囲】
【請求項１】
サルカンを入れる穴（Ｇ）に金属などでできたハトメをはめた釣りルアー
【考案の詳細な説明】
【技術分野】
【０００１】  本考案は魚を誘う道具で釣具に係るものである。
【背景技術】
【０００２】  従来の釣りルアーは、木で作られている種類がある。その釣りルアーの腹部には釣り針を連結させるためのサルカンを付属させるための穴が開いており、その穴は、釣り針を連結させて動かしていると、その穴の周りが傷つき劣化するスピードが早い。また、その穴の周りは滑りが悪い木であるので、サルカンの動きが悪い。
【考案が解決しようとする課題】
【０００３】  本考案は、従来の技術の有するこの様な問題点に鑑みてなされたものであり、その目的とするところは、劣化のスピードが遅く、サルカンと釣り針の動きが良い釣りルアーを提供しようとするものである。
【課題を解決するための手段】
【０００４】  上記目的を達成するために、本考案の釣りルアーは、図２のように腹部の穴Ｇの周りにハトメＤはめ込んだ。
【考案を実施するための最良の形態】
【０００５】  ハトメＣを穴Ｇの周りにはめ込み、金槌などで叩いて釣りルアーの形状に合わせる。そして、釣りルアーの口部から尻部まで貫通している穴Ｈに先端に丸のついた針金Ｂを挿入して、予め穴Ｇに入れたサルカンＤに通し、鉛Ｅまで通して、ペンチなどで針金Ｂをねじって、釣り針やブレードなどをつけるための丸を作る。釣りルアーを釣竿で操って泳がせた時に、釣り針を付属したサルカンＤは水流や潮流の流れに合わせて動く。
【考案の効果】
【０００６】  釣りルアーの腹部の穴ＧにハトメＣをはめ込むことにより、サルカンＤとそれに付属する釣り針は、ハトメＣがサルカンＤと釣り針の動きを良くするので、水流や潮流の流れに合わせて自由に動くことが出来る。だから、従来のものよりもサルカンＤとそれに付属する釣り針が安定した動きをするので、魚が釣り針に掛かりやすい。また、釣りルアーを泳がせると、どうしても穴Ｇの周りが傷ついてしまうが、本考案の釣りルアーは、ハトメＣにより穴Ｇの周りを傷つけることがないので、ルアーが長持ちする。
【図面の簡単な説明】
【図１】本考案の釣りルアーの斜面図である。
【図２】本考案の釣りルアーの底面図である。
【図３】本考案の釣りルアーの断面図である。
【図４】本考案の釣りルアーの背面図である。
【符号の説明】
Ａ  本考案の釣りルアーの口部のハトメ
Ｂ  本考案の釣りルアーの先端に丸のついた針金
Ｃ  本考案の釣りルアーの腹部のハトメ
Ｄ  本考案の釣りルアーのサルカン
Ｅ  本考案の釣りルアーの錘
Ｆ  本考案の釣りルアー本体
Ｇ  本考案の釣りルアーの腹部のサルカンを入れるための穴
【図１】
0003103369.tif 000003
【図２】
0003103369.tif 000004
【図３】
0003103369.tif 000005
【図４】
0003103369.tif 000006
【手続補正書】
【提出日】平成16年1月23日(2004.1.23)
【手続補正１】
【補正対象書類名】明細書
【補正対象項目名】従来の技術
【補正方法】変更
【補正の内容】
【従来の技術】
【０００２】従来の釣りルアーは、木で作られている種類がある。その釣りルアーの腹部には釣り針を連結させるためのサルカンを付属させるための穴が開いており、その穴は、釣り針を連結させて動かしていると、その穴の周りが傷つき劣化するスピードが早い。また、その穴の周りは滑りが悪い木であるので、サルカンの動きが悪く、サルカンを傷つけている。
【０００３】
従来の釣りルアーは本体の腹部に穴を開けてバランサー用の錘を埋め込み、その穴を紙粘土などで塞ぎ、はみ出た紙粘土などをサンドペーパーなどで削っている。
【手続補正２】
【補正対象書類名】明細書
【補正対象項目名】考案が解決しようとする課題
【補正方法】変更
【補正の内容】
【考案が解決しようとする課題】
【０００４】
本考案は、従来の技術の有するこの様な問題点に鑑みてなされたものであり、その目的とするところは、劣化のスピードが遅く、サルカンと釣り針の動きが良く、バランサーを埋め込む手間が少ない釣りルアーを提供しようとするものである。
【手続補正３】
【補正対象書類名】明細書
【補正対象項目名】課題を解決するための手段
【補正方法】変更
【補正の内容】
【課題を解決するための手段】
【０００５】上記目的を達成するために、本考案の釣りルアーは、図２のように腹部の穴Ｇの周りにハトメＣをはめ込んだ。
【手続補正４】
【補正対象書類名】明細書
【補正対象項目名】考案の効果
【補正方法】変更
【補正の内容】
【考案の効果】
【０００７】釣りルアーの腹部の穴ＧにハトメＣをはめ込むことにより、サルカンＤとそれに付属する釣り針は、ハトメＣがサルカンＤと釣り針の動きを良くするので、水流や潮流の流れに合わせて自由に動くことが出来る。だから、従来のものよりもサルカンＤとそれに付属する釣り針が安定した動きをするので、魚が釣り針に掛かりやすい。また、釣りルアーを泳がせると、どうしても穴Ｇの周りとサルカンＤがぶつかり合って傷ついてしまうが、本考案の釣りルアーは、ハトメＣにより穴Ｇの周りとサルカンＤを傷つけることがないので、ルアーが長持ちする。
ハトメＣは釣リルアー本体のバランサーの役目をする重さを有しており、錘Ｅと同様に錘の役目も果たすので、釣り用ルアー本体に穴Ｇとは別に腹部にバランサー用の錘を埋め込むための穴を開ける必要がない。また、従来の釣りルアーはバランサー用の錘を腹部の穴に埋め込んだ後、紙粘土でその穴を止めたり、はみ出た紙粘土などをサンドペーパーで綺麗に処理しなければならないが、本考案の釣りルアーは、嵌めるだけであるので、手間がかからず時間と経費の節約になる。
【手続補正書】
【提出日】平成16年4月5日(2004.4.5)
【手続補正１】
【補正対象書類名】手続補正書
【補正対象項目名】手続補正１
【補正方法】変更
【補正の内容】
【手続補正１】
【補正対象書類名】明細書
【補正対象項目名】０００２
【補正方法】変更
【補正の内容】
【０００２】  従来の釣りルアーは、木で作られている種類がある。その釣りルアーの腹部には釣り針を連結させるためのサルカンを付属させるための穴が開いており、その穴は、釣り針を連結させて動かしていると、その穴の周りが傷つき劣化するスピードが早い。また、その穴の周りは滑りが悪い木であるので、サルカンの動きが悪く、サルカンを傷つけている。  従来の釣りルアーは本体の腹部に穴を開けてバランサー用の錘を埋め込み、その穴を紙粘土などで塞ぎ、はみ出た紙粘土などをサンドペーパーなどで削っている。
【手続補正２】
【補正対象書類名】手続補正書
【補正対象項目名】手続補正２
【補正方法】変更
【補正の内容】
【手続補正２】
【補正対象書類名】明細書
【補正対象項目名】０００３
【補正方法】変更
【補正の内容】
【０００３】  本考案は、従来の技術の有するこの様な問題点に鑑みてなされたものであり、その目的とするところは、劣化のスピードが遅く、サルカンと釣り針の動きが良く、バランサーを埋め込む手間が少ない釣りルアーを提供しようとするものである。
【手続補正３】
【補正対象書類名】手続補正書
【補正対象項目名】手続補正３
【補正方法】変更
【補正の内容】
【手続補正３】
【補正対象書類名】明細書
【補正対象項目名】０００４
【補正方法】変更
【補正の内容】
【０００４】  上記目的を達成するために、本考案の釣りルアーは、図２のように腹部の穴Ｇの周りにハトメＣをはめ込んだ。
【手続補正４】
【補正対象書類名】手続補正書
【補正対象項目名】手続補正４
【補正方法】変更
【補正の内容】
【手続補正４】
【補正対象書類名】明細書
【補正対象項目名】０００５
【補正方法】変更
【補正の内容】
【０００５】  釣りルアーの腹部の穴ＧにハトメＣをはめ込むことにより、サルカンＤとそれに付属する釣り針は、ハトメＣがサルカン  Ｄと釣り針の動きを良くするので、水流や潮流の流れに合わせて自由に動くことが出来る。だから、従来のものよりもサルカンＤとそれに付属する釣り針が安定した動きをするので、魚が釣り針に掛かりやすい。また、釣りルアーを泳がせると、どうしても穴Ｇの周りとサルカンＤがぶつかり合って傷ついてしまうが、本考案の釣りルアーは、ハトメＣにより穴Ｇの周りとサルカンＤを傷つけることがないので、ルアーが長持ちする。ハトメＣは釣りルアー本体のバランサーの役目をする重さを有しており、錘Ｅと同様に錘の役目も果たすので、釣り用ルアー本体に穴Ｇとは別に腹部にバランサー用の錘を埋め込むための穴を開ける必要がない。また、従来の釣りルアーはバランサー用の錘を腹部の穴に埋め込んだ後、紙粘土でその穴を止めたり、はみ出た紙粘土などをサンドペーパーで綺麗に処理しなければならないが、本考案の釣りルアーは、嵌めるだけであるので、手間がかからず時間と経費の節約になる。